(57)【要約】【課題】金属線条体をリ−ルに巻付けた時の巻付け張力によるリール捲胴部の破損防止対策を施した金属線条体用リールを提供する。【解決手段】円筒状の捲胴部１と、捲胴部の左右両側に一体的に設けられた一対のフランジ２とを備えた金属線条体用リール１０において、捲胴部の捲き面１ａを、捲き面との間に隙間ａをあけて配設され捲き面１ａのほぼ全周を被覆可能な円筒状の胴当板５で包み、胴当板５に、胴当板５にかかる巻き圧を吸収するための不連続部６を形成する構成により、金属線条体をリールに巻付けた時の巻き付け張力によるリール捲胴部１の破損を防止するようにして課題解決の手段としている。【選択図】図１
2004161450.tif 000002
【特許請求の範囲】
【請求項１】
円筒状の捲胴部と、同捲胴部の左右両側に一体的に設けられた一対のフランジとを備えた金属線条体用リールにおいて、
上記捲胴部の捲き面が、同捲き面との間に隙間をあけて配設され同捲き面のほぼ全周を被覆可能な円筒状の胴当板で包みこまれ、
同胴当板が、同胴当板にかかる巻き圧を吸収するための不連続部を備えていることを特徴とする金属線条体用リール。
【請求項２】
上記不連続部が、上記捲胴部の軸線に対して垂直方向に延在するスリットであることを特徴とする請求項１に記載の金属線条体用リール。
【請求項３】
上記不連続部が、上記捲胴部の軸線に対して平行方向に延在するスリットであることを特徴とする請求項１に記載の金属線条体用リール。
【請求項４】
上記不連続部が、上記捲胴部の軸線に対して任意の角度傾斜した方向に延在するスリットであることを特徴とする請求項１に記載の金属線条体用リール。
【請求項５】
上記不連続部が、滑らかな曲線で形成されていることを特徴とする請求項１〜請求項４のいずれか１項に記載の金属線条体用リール。
【請求項６】
上記不連続部が、平面視直線に形成されていることを特徴とする請求項１〜請求項４のいずれか１項に記載の金属線条体用リール。
【請求項７】
上記不連続部が、平面視で連続した山形形状に形成されていることを特徴とする請求項１〜請求項４のいずれか１項に記載の金属線条体用リール。
【請求項８】
円筒状の捲胴部と、同捲胴部の左右両側に一体的に設けられた一対のフランジとを備えた金属線条体用リールにおいて、
上記捲胴部の捲き面が、同捲き面との間に隙間をあけて配設され同捲き面のほぼ全周を被覆可能な円筒状の胴当板で包みこまれ、
上記の捲胴部と各フランジとの連接角部に、断面形状Ｌ型のコーナー当板が、それぞれそれらの各垂直部外面を上記各フランジの内面にスポット溶接されて配設され、
上記各フランジの内面に、ドーナツ状の平面形状を有するフランジ当板がそれぞれ固着され、
上記各コーナー当板の垂直部の端縁部に、上記各フランジ当板の内側周縁部が溶接されるとともに、同各コーナー当板の水平部の端縁部に上記胴当板の各外縁部がそれぞれ溶接されていることを特徴とする金属線条体用リール。
【請求項９】
上記胴当板が、同胴当板にかかる巻き圧を吸収するための不連続部を備えていることを特徴とする請求項８に記載の金属線条体用リ−ル。
【請求項１０】
上記各コーナー当板のＬ型屈曲部が、その内面を円弧状に形成されていることを特徴とする請求項８〜請求項９のいずれか１項に記載の金属線条体用リール。
【発明の詳細な説明】
【０００１】
【発明の属する技術分野】
本発明は、金属線条体を巻装するためのリールに関し、特に、金属線条体をリールに巻付けた時の巻付け張力によるリールの捲胴部の破損防止対策、およびリールの捲胴部とフランジとの接合部の破損防止対策を施した金属線条体用リールに関する。
【０００２】
【従来の技術】
一般に、金属線条体用リール０１１は、図７、図８に示すように、捲胴部０１２と、捲胴部０１２の両端部に配設される一対のフランジ０１３、０１３とで構成されている。捲胴部０１２および一対のフランジ０１３、０１３は構造用炭素鋼（例えばＳ４５Ｃ）などの厚肉鋼材で造られている。そして、製造の仕方によって、捲胴部０１２とフランジ０１３、０１３とを一体物として削り出した一体物リール（削り出しリール）と、捲胴部０１２とフランジ０１３、０１３とを別々に製作し、捲胴部０１２とフランジ０１３、０１３とを溶接した溶接リール（組立てリール）とに分類されている。
【０００３】
これらのリールに金属線条体、例えば線径が０．１２〜０．１６ｍｍ（あるいはそれ以下）のワイヤソー用極細金属線、またはゴム製品補強用の撚線スチールコード（タイヤコード）の素線としての線径０．１５〜０．４０ｍｍ程度の極細金属線（場合によってはスチールコードをも含む）を所定の張力（例えば０．４ｋｇ〜１．５ｋｇ）でリ−ルに巻付けた場合に、この巻付け張力に起因して、大きな締め付け力が捲胴部に作用する。
そして、捲胴部の幅Ｈよりもフランジの直径Ｌが大なリール（Ｈ＜Ｌ、図７参照、「スリム型リール」という）の場合、捲胴部にかかる巻き圧よりもフランジにかかる圧力（側圧）の方が遙かに大きく、この圧力は、図７に点線で示すように、両フランジを互いに離反する方向に押し広げる変形を起こすように作用する。
発生する側圧は、金属線条体の線径が小さいほど、また巻き付け張力が大きいほど、そして巻き付け往復回数が多いほど大きくなる。上記極細金属線、例えばワイヤソーの場合、リールに４０〜６０ｋｇあるいはそれ以上の重量を巻き付けるが、このような場合の側圧は数トンあるいは数十トンに達することがある。
その結果、このスリム型リールの場合、捲胴部とフランジとの継ぎ目Ｙに応力が集中し、この個所で破損が発生する。したがって、このような形状のリールの場合には、特に捲胴部０１２とフランジ０１３との接合部の補強が必要となる。捲胴部とフランジとを溶接して構成したリールの場合、この溶接部分で応力（側圧）を完全に吸収できないので、極めて破損度が高い。したがって、このような形状のリールの場合に対しては、リールの捲胴部およびフランジの補強対策、ならびに捲胴部とフランジとの接合部の破損防止対策が必要となる。
【０００４】
一方、フランジの直径Ｌが捲胴部の幅Ｈよりも大なリール（Ｌ＜Ｈ、図８参照、「胴長リール」という）の場合、巻付け張力に起因して捲胴部に作用する上記の大きな締め付け力は、フランジよりも捲胴部に集中し、この締め付け力（巻き圧）により、捲胴部はその中央部が縮径するように変形し（図８に点線で示す）、この変形により、両フランジは内側に倒れこむように変形する。したがって、このような形状のリールの場合に対しては、捲胴部に対する補強が必要となる。
【０００５】
従来リールは、この側圧に耐え得る強度や剛性を付与するために、厚さ２０〜５０ｍｍ程度の厚肉鋼材を使用していた。このため、従来リールは非常に重量が重く、リールの取り扱い性が非常に悪く、運搬コストもかさんでいた。また材料費や加工コストが高くなっていた。
さらに、このような頑丈な構造のリールであっても、発生する側圧が途方もなく大きいために、フランジや捲胴部が塑性変形することは避けられない。そして、数回ないし十数回の繰り返し使用で、リ−ルの変形が進行し、あるいは破損して使い物にならなくなる。すなわち、従来リールは、コスト高に見合う耐久性が保証できないという問題があった。
このような問題に対処したリールとして、特許文献１に示すようなリールが提案されている。
【０００６】
【特許文献１】
特開平１１−１１４７９８号公報（第３頁、第１図）
【０００７】
【発明が解決しようとする課題】
特許文献１に記載のリールは、図９に示すように、ソーワイヤを巻かれるバレル部０１と、バレル部０１両端のフランジ部０２と、バレル部０１の中心中空部内に圧入された充填材０３とにより形成され、充填材０３がリ−ルの変形を抑制するように作用する構成となっている。ここで、充填材０３は鋼よりも軽量で、かつ圧縮強度を有する材料からなり、蓋部材０４により保持されるようになっている。図９中の符号０５は蓋部材０４をフランジ部０２の端部に固着するための雄ネジを示している。
ところで、図９に示された金属線条体用リールは、金属線条体の巻付け張力によりバレル部（捲胴部）が締め付けられても、バレル部０１の中心中空部内に圧入された充填材０３が締め付け力に対抗するように作用して、バレル部０１の変形を抑制できるものの、構造が複雑なため、また充填材を必要とするため、コスト面および重量面において不利であるという課題がある。
本発明の課題は、従来の金属線条体用リールにおけるこのような課題を解決して、軽量かつ安価でありながら、十分な強度と反復使用性を有する極細金属線用リ−ルを提供することである。
【０００８】
【課題を解決するための手段】
本発明は、円筒状の捲胴部と、同捲胴部の左右両側に一体的に設けられた一対のフランジとを備えた金属線条体用リールにおいて、上記捲胴部の捲き面を、同捲き面との間に隙間をあけて配設され同捲き面のほぼ全周を被覆可能な円筒状の胴当板で包み、同胴当板に、同胴当板にかかる巻き圧を吸収するための不連続部を形成する構成により、金属線条体をリールに巻付けた時の巻付け張力によるリール捲胴部の破損を防止するようにして課題解決の手段としている。
【０００９】
この発明のリールは、捲胴部が、リール本体の捲き面と円筒状の胴当板との二層構造となっており、しかも胴当板は、リール本体の捲き面との間に隙間をあけて配設されているため、金属線条体をリールに巻付ける時、捲胴部に大きな締め付け力が作用すると、その締め付け力により胴当板は自由に弾性変形できる。しかも胴当板に形成された不連続部が胴当板の弾性変形量を吸収するように作用するから、捲胴部に作用する大きな締め付け力の大部分が胴当板で吸収される。このようにして、本発明によれば、金属線条体をリールに巻付ける場合の捲胴部に作用する大きな締め付け力により、リール捲胴部の中央部が縮径するように変形するのを抑制することができ、リールの耐久性の向上が可能となる。
【００１０】
さらに、本発明は、円筒状の捲胴部と、同捲胴部の左右両側に一体的に設けられた一対のフランジとを備えた金属線条体用リールにおいて、上記捲胴部の捲き面を、同捲き面との間に隙間をあけて配設され同捲き面のほぼ全周を被覆可能な円筒状の胴当板で包み、上記の捲胴部と各フランジとの連接角部に、断面形状Ｌ型のコーナー当板を、それぞれそれらの各垂直部外面を上記各フランジの内面にスポット溶接し、上記各フランジの内面に、ドーナツ状の平面形状を有するフランジ当板をそれぞれ固着し、上記各コーナー当板の垂直部の端縁部に、上記各フランジ当板の内側周縁部を溶接するとともに、同各コーナー当板の水平部の端縁部に上記胴当板の各外縁部をそれぞれ溶接するようにして課題解決の手段としている。
【００１１】
この発明のリールは、捲胴部が、リール本体の捲き面と円筒状の胴当板との二層構造となっており、しかも胴当板は、リール本体の捲き面との間に隙間をあけて配設されているため、金属線条体をリールに巻付ける時、捲胴部に大きな締め付け力が作用すると、その締め付け力により胴当板は自由に弾性変形でき、しかも胴当板に形成された不連続部が胴当板の弾性変形量を吸収するように作用するから、捲胴部に作用する大きな締め付け力の大部分が胴当板で吸収される。このようにして、本発明によれば、円筒状の胴当板の作用により、金属線条体をリールに巻付ける場合の捲胴部に作用する大きな締め付け力により、リール捲胴部の中央部が縮径するように変形するのを抑制する機能を有するとともに、コーナー当板の垂直部の端縁部をフランジ当板の内側周縁部に溶接した際に発生した溶接歪みに伴う応力が、リールの製作時にフランジを内方に引っ張る応力として残留する。つまり、リールの製作時に、フランジを内方に引っ張る初期応力が存在し、そしてこの初期応力が、側圧によりフランジが互いに離反する方向に押し拡げられるのを防止するように作用する。さらに、捲胴部とフランジとの継ぎ目に設けられたコーナー当板が、この個所での破損の発生を防止するよう作用し、これら各部材の相互作用により、リールの耐久性の向上が可能となる。
【００１２】
また、捲胴部の巻き面のほぼ全周を一対の胴当板間に形成した隙間が、胴当板の弾性変形を吸収するよう作用する。
【００１３】
また、コーナー当板の屈曲部の内面を円弧状に形成しておくことで、応力集中を避けることができる。
【００１４】
【発明の実施の形態】
次に、図面とともに本発明の実施形態について説明する。図１は本発明の一実施形態としての金属線条体用リールの断面図、図２は同要部の断面図、図３は同斜視図、図４（ａ）、（ｂ）は同テスト結果を示すグラフ、図５は胴当板の斜視図、図６（ａ）〜（ｅ）は不連続部（スリット）の例を示す概略図である。
【００１５】
図１〜３において、符号１０は金属線条体用リ−ルを示しており、この金属線条体用リール１０は円筒状の捲胴部１と捲胴部１の左右両側に一体的に設けられたフランジ２、２とを備えて構成されている。
【００１６】
捲胴部１の捲き面１ａが、捲き面１ａとの間に隙間ａをあけて配設され捲き面１ａのほぼ全周を被覆可能な円筒状の胴当板５で包みこまれている。
胴当板５には、胴当板５にかかる巻き圧を吸収するための不連続部６が形成されている。この不連続部６は、図１に示したリ−ルでは、僅かな幅を有するスリット７（図２、図３参照）で構成されている。
【００１７】
スリット７は、その軸線Ｚが、図１、図２、図３および図６（ａ）に示すように、捲胴部１の軸線に対して垂直方向に延在するように形成されている。なお、スリット７はその軸線Ｚが垂直方向からある程度の角度傾斜した場合においても、作用効果に殆ど差異はない。フランジ２の直径Ｌが捲胴部１の長さＨよりも大きい形状のリール（スリム型リール）では、捲胴部１に掛かる圧力Ａよりもフランジ２に掛かる圧力Ｂ（図６（ａ）参照）の方が大きいため、方向Ｚをこのように設定すると、胴当板５による巻圧の吸収効果が高くなる。
【００１８】
このほか、スリット７は、その軸線Ｚが、図６（ｂ）などに示すように、捲胴部１の軸線に平行方向に延在するように形成してもよい。図６（ｂ）などに示したフランジ２の直径Ｌが捲胴部１の長さＨよりも小さい「胴長リール」の場合、捲胴部１に掛かる圧力Ａよりもフランジ２に掛かる圧力Ｂの方が小さいため、軸線Ｚをこの方向に設定する方が、胴当板５による巻圧の吸収効果が高くなるので、スリット７としてはこの方向のものが望ましい。なお、スリット７が平行方向からある程度の角度傾斜した場合においても作用効果に殆ど差異はない。
図６（ａ）、（ｂ）および図２、３に示した例では、スリット７は平面視サインカーブ曲線形状に形成されている。しかし、スリット７の形状は平面視サインカーブ曲線形状でなくてもよい。この点についは、後述する。
【００１９】
リールの製作段階（捲胴部１にフランジ２が取り付けられる前の段階）では、胴当板５を捲胴部１の横側（あるいは上側）から嵌合することにより、簡単に装着することができる。
既存のリールに装着する場合には、胴当板５を半円形状の一対の半割り体５Ａ、５Ｂに形成し、これらをそれぞれ捲胴部１の外側（あるいは上側）から嵌合した後、それらの対向面を溶接することにより、装着することができる。図２、３および図６（ａ）の符号１５は溶接線を示している。
図６（ｂ）に示すものの場合もほぼ同様で、図５に示すように、胴当板５を半円形状の一対の半割り体５Ａ、５Ｂに形成してこれらをそれぞれ捲胴部１の外側から嵌合するのであるが、この例の場合、半割り体５Ａ、５Ｂの互いに対向する一方の側端縁面（外側面）５ａは平面視直線状の直線面に形成され、互いに対向する他方の対向端縁面（内側面）５ｂは平面視サインカーブ状の曲線面に形成される。そして、両方の外側面５ａ同志を溶接することにより、円筒状の胴当板５が形成されると同時に、対向端縁面（内側面）５ｂ間に、所定寸法のスリット７が形成される。
このようにして、既存のリールにも簡単に胴当板５を装着することができる。またこれと反対の工程により、簡単に取り外すこともできるので、胴当板５の取り替えが可能となり、リールを半永久的に使用することが可能となる。
【００２０】
このように、この実施形態のリールは、捲胴部１が、リール本体の捲き面１ａと円筒状の胴当板５との二層構造となっており、しかも胴当板５は、リール本体の捲き面１ａとの間に隙間をあけて配設されているため、金属線条体をリールに巻付ける時、捲胴部１に大きな締め付け力が作用すると、その締め付け力により胴当板５は自由に弾性変形することができる。しかも胴当板５に形成された不連続部（スリット７）が胴当板５の弾性変形量を吸収するように作用するから、捲胴部１に作用する大きな締め付け力の大部分を胴当板５が吸収する。このようにして、この実施形態のリールによれば、金属線条体をリールに巻付ける場合の捲胴部１に作用する大きな締め付け力により、リール捲胴部１の中央部が縮径するように変形するのを防止することができ、リールの耐久性の向上が可能となる。
【００２１】
スリット７の形状として、図６（ｃ）に示すような、滑らかな曲線（例えばサインカーブ曲線）に形成されたもののほか、図６（ｄ）に示すような、スリット７の形状が平面視で連続した山形形状に形成されたものや、図６（ｅ）に示すような、スリット７の形状が平面視直線に形成されたものなども、図６（ｃ）のものとほぼ同様の効果が得られる。
ところで、巻圧が作用したり、取り除かれたりしたことにより、胴当板５は伸縮するが、その場合伸縮範囲が大きいほど弾性変形量が大きくなる。そしてこの伸縮範囲は、スリット７がその軸線と直交する方向に分布する寸法（設定有効寸法）Ｃ（図６（ｃ）参照）に比例するから、寸法Ｃは大きい方が望ましい。
このような観点から、図６（ｃ）、図６（ｄ）のものの方が、図６（ｅ）のものよりも大きな弾性変形が得られ、捲胴部１に掛かる巻圧をより多く吸収できるので、有利である。図６（ｅ）のものは加工コストの点で極めて有利である。
【００２２】
図６（ｄ）のものは、図６（ｃ）のものとほぼ同様の伸縮範囲を有し、十分な巻圧吸収作用を発揮するが、山形の先端部（山形の頂上付近）の形状が鋭く、ワイヤを巻き付けたとき、この先端部が反ったり、浮いたりするなどの変形を生じやすく、さらに対向端縁部にワイヤが食い込みやすいので、極細線用リールとしては若干の不都合があるものの、加工が図６（ｃ）のものに比べて簡単なため、製作コストの面で有利である。
【００２３】
どの形状のスリット７を選択するかということは、各形状のものの上述の長所、短所に基いて決定される事項である。
なお、本明細書において、「サインカーブ状の曲線」とは、必ずしもサインカーブに限定するものではなく、サインカーブのような、滑らかな連続曲線を含むものである。
また、スリット７の幅ｄは、胴当板５の変形時にスリットを介して対向する端縁同志が当接するのを防止することができるような寸法に設定されることは、いうまでもない。
【００２４】
図１〜３に示すリール１０には、後述するように、胴当板５両側の捲胴部１とフランジ２との連接角部に、断面Ｌ字型のコーナー当板３が配設されているが、リールの捲胴部１の破損防止対策のみを目的とするリールでは、断面Ｌ字型のコーナー当板３は不必要となる。したがって、このようなリールにおいては、胴当板５を捲胴部１のほぼ全長に亘って延在するように構成すると、捲胴部１の変形や破損を防止する効果を一層高めることができる。
【００２５】
上述の通り、図１〜３に示すリール１０には、捲胴部１両側の各フンジ２との連接角部（接合部分、図７で矢Ｙで示した部分）にそれぞれ断面Ｌ字型のコーナー当板３が、また各フランジ２の各内面にそれぞれドーナツ状の平面形状を有するフランジ当板４が配設されている。
各フランジ当板４は各フランジ２の内面に固着されている。固着手段については特に限定しないが、溶接やボルト・ナットによる固着などが好ましい。図１〜３にはスポット溶接４１により固着した例が示されている。
断面Ｌ字型のコーナー当板３は、その水平部の端縁部を胴当板５の外縁部に溶接３１されるとともに、その垂直部の端縁部をフランジ当板４の内側周縁部に溶接３２されている。
コーナー当板３の屈曲部Ｘは、その内面を円弧状に形成しておく（いわゆる「Ｒ」を付ける）ことが、応力集中を避けることができるので、望ましい。
【００２６】
コーナー当板３およびフランジ当板４のリ−ルへの取り付けについては、上述の胴当板５の場合と同様である。
すなわち、リールの製作段階（捲胴部１にフランジ２が取り付けられる前の段階）では、コーナー当板３およびフランジ当板４を捲胴部１の外側から嵌合することにより、簡単に装着することができる。
既存のリールに装着する場合には、コーナー当板３およびフランジ当板４を半円形状の一対の半割り体に形成し、これらをそれぞれ捲胴部１の外側から嵌合した後、それらを溶接３ａ、４ａにより一体化してから、それぞれ胴当板５あるいはフランジ２に溶接乃至固着することにより、装着することができる。
このようにして、既存のリールにも簡単にコーナー当板３およびフランジ当板４を装着することができ、またこれと反対の工程により、これらの各部材を簡単に取り外すこともできるので、胴当板５、コーナー当板３およびフランジ当板４の取り替えが可能となり、リールを半永久的に使用することが可能となる。
なお、コーナー当板３およびフランジ当板４の取り付けは、▲１▼フランジ当板４のフランジ内面への固着、▲２▼コーナー当板３の水平端縁部の胴当板５の外縁部への溶接３１、▲３▼コーナー当板３の垂直端縁部のフランジ当板４の内側周縁部への溶接３２、の順に行うのが、作業効率上望ましい。
【００２７】
このような構成のリール１０は、フランジ部分が、本来のフランジ２とフランジ当板４との２層構造となるので、フランジ部の剛性が大きくなる。さらに、コーナー当板３の垂直部の端縁部をフランジ当板４の内側周縁部に溶接したことにより、溶接部付近に、溶接時に発生した溶接歪みに伴うフランジ２を内方に引っ張る応力が残留し、この応力により、製作後にもフランジ２は内方に引っ張られた状態に保持される。つまり、この実施形態のリール１０は、製作時に、フランジ２を内方に引っ張る初期応力を具備することとなる。
この初期応力は、側圧によりフランジが互いに離反する方向に押し拡げられるのを阻止する方向に作用するので、リールに金属線条体を巻付けた場合に、フランジ２にかかる圧力（側圧）により、両フランジ２、２を互いに離反する方向に押し広げる変形を抑圧することが可能となる。
さらに、捲胴部１とフランジ２との継ぎ目に設けられたコーナー当板３が、コーナー当板３に作用する側圧に対抗するとともに、その弾性が、コーナー当板３の屈曲部Ｘを中心としたフランジ２の復元性に大きく貢献し、この個所での破損の発生を防止するよう作用する。
このように、フランジ部分を２層構造にした構成、捲胴部１とフランジ２との継ぎ目にコーナー当板３を設ける構成、およびコーナー当板３の垂直部の端縁部をフランジ当板４の内側周縁部に溶接した構成により、さらにリール捲胴部の中央部が縮径するように変形するのを防止する機能を有する円筒状の胴当板５を設ける構成、の相互作用により、リールに金属線条体を巻付けた場合のリールの変形乃至破損、特にフランジの内側への変形の抑制および解巻後の復元性の向上をはかることが可能となり、リールの耐久性の向上が可能となる。
【００２８】
図４（ａ）は、図１〜３に示した実施形態に係る構成に金属線条体用リール１０（１．５ｔｏｎ  リール、コーナー当板３の屈曲部は、その内面にＲがつけられている）のテスト結果を示すグラフである。このテスト結果を示すグラフは、この金属線条体用リール１０は、５回使用した後においても、両フランジ間の寸法は、弾性限界内に止まっていて、この金属線条体用リール１０が耐久性に優れていることを示している。
【００２９】
図４（ｂ）は従来の金属線条体用リール（１．５ｔｏｎ  リール、コーナー当板３の屈曲部は、その内面にＲがつけられている）のテスト結果を示すグラフである。図４（ｂ）のグラフに示すように、リールの破損防止対策を施されていない従来の金属線条体用リールでは、１回目の使用でフランジは弾性限度を越えた変形を起こしており、金属線条体がリールから解かれても、リールは原状に復帰していないことがわかる。したがって、このような従来の金属線条体用リールでは、２回の使用が限度となる。
両グラフを比較するとき、この発明の金属線条体用リールが従来のものに対して耐久性において優れていることを読み取ることができる。
【００３０】
【発明の効果】
以上説明したように、本発明によれば、次のような効果が得られる。
（１）捲胴部が、リール本体の捲き面と円筒状の胴当板との二層構造となっており、しかも胴当板は、リール本体の捲き面との間に隙間をあけて配設されているため、金属線条体をリールに巻付ける時、捲胴部に大きな締め付け力が作用すると、その締め付け力により胴当板は自由に弾性変形できる。しかも胴当板に形成された不連続部が胴当板の弾性変形量を吸収するように作用するから、捲胴部に作用する大きな締め付け力の大部分が胴当板で吸収されるので、金属線条体をリールに巻付ける場合の捲胴部に作用する大きな締め付け力によりリール捲胴部の中央部が縮径するように変形を抑制でき、使用時におけるリールの巻き圧による変形を、リール構成部材の弾性限度内とすることができて、リールの耐久性の向上が可能となる。
（２）捲胴部を、リール本体の捲き面と円筒状の胴当板との二層構造とした構成により、上記（１）と同様に使用時におけるリールの巻き圧による変形を、リール構成部材の弾性限度内とすることができるとともに、コーナー当板の垂直部の端縁部をフランジ当板の内側周縁部に溶接した際に発生した溶接歪みにより、リールの製作時に、フランジを内方に引っ張る初期応力が存在し、この初期応力が、側圧によりフランジが互いに離反する方向に押し拡げられるのを抑制するように作用し、さらに、捲胴部とフランジとの継ぎ目に設けられたコーナー当板が、この個所での破損の発生を防止するよう作用し、これら各部材の相互作用により、リールの耐久性の向上が可能となる。
（３）胴当板、コーナー当板およびフランジ当板は、既存のリールに対しても簡単に取り付けたり、取り外したりできて、取り替え可能であるので、リールを半永久的に使用することが可能となる。
【図面の簡単な説明】
【図１】本発明の一実施形態としての金属線条体用リールの断面図。
【図２】同要部の断面図。
【図３】同斜視図。
【図４】（ａ）、（ｂ）は同テスト結果を示すグラフ。
【図５】同胴当板の斜視図。
【図６】（ａ）〜（ｅ）は不連続部（スリット）の例を示す概略図。
【図７】従来のスリム型リールの側面図。
【図８】従来の胴長リールの側面図。
【図９】従来の高強度リールの断面図。
【符号の説明】１：捲胴部、１ａ：捲胴部の捲き面、２：フランジ、  ３：コーナー当板、４：フランジ当板、５：胴当板、６：不連続部（  スリット）、３１、３２、４１：溶接（部）、Ｘ：コーナー当板の屈  曲部、Ｙ：捲胴部とフランジとの連接角部、Ｚ：不連続部（スリット  ）の軸線、ａ：捲き面と胴当板５との間の隙間。
【図１】
2004161450.tif 000003
【図２】
2004161450.tif 000004
【図３】
2004161450.tif 000005
【図４】
2004161450.tif 000006
【図５】
2004161450.tif 000007
【図６】
2004161450.tif 000008
【図７】
2004161450.tif 000009
【図８】
2004161450.tif 000010
【図９】
2004161450.tif 000011
【手続補正書】
【提出日】平成14年12月17日(2002.12.17)
【手続補正１】
【補正対象書類名】図面
【補正対象項目名】全図
【補正方法】変更
【補正の内容】
【図１】
2004161450.tif 000012
【図２】
2004161450.tif 000013
【図３】
2004161450.tif 000014
【図４】
2004161450.tif 000015
【図５】
2004161450.tif 000016
【図６】
2004161450.tif 000017
【図７】
2004161450.tif 000018
【図８】
2004161450.tif 000019
【図９】
2004161450.tif 000020